(57)【要約】      （修正有）【課題】要求される容積の仕様に対応し、短期間に低コストで設置する上で有利な冷蔵倉庫を提供する。【解決手段】冷蔵倉庫１０は、床１２、正面壁１４、背面壁１６、天井、左側壁２０、右側壁２２で区画され屋根で覆われ照明器具が設けられた冷蔵室２８と、冷蔵室２８を冷却する冷蔵設備３０と、発電機３２とを備えている。冷蔵倉庫１０は、左側壁２０と右側壁２２とが対向する方向において３つ以上に分割されそれぞれが冷蔵設備３０を備える複数の建物躯体が組み付けられて構成されている。複数の建物躯体は、左端建物躯体３４Ａと、１つまたは複数の中間建物躯体３４Ｂと、右端建物躯体３４Ｃである。【選択図】図１
2018040553.tif 000002
【特許請求の範囲】
【請求項１】
床、正面壁、背面壁、天井、左側壁、右側壁で区画され屋根で覆われ照明器具が設けられた冷蔵室と、前記冷蔵室を冷却する冷蔵設備とを有する冷蔵倉庫であって、
前記冷蔵倉庫は、前記左側壁と前記右側壁とが対向する方向において３つ以上に分割されそれぞれが前記照明器具、前記冷凍設備を備える複数の建物躯体が組み付けられて構成されている、
ことを特徴とする冷蔵倉庫。
【請求項２】
前記複数の建物躯体は、左端建物躯体と、１つまたは複数の中間建物躯体と、右端建物躯体であり、
それら左端建物躯体、中間建物躯体、右端建物躯体は、それぞれ前記床、前記正面壁、前記背面壁、前記天井、前記屋根を構成するための床分割体、正面壁分割体、背面壁分割体、天井分割体、屋根分割体を備え、
前記左端建物躯体はさらに前記左側壁を備え、
前記右端建物躯体はさらに前記右側壁を備えている、
ことを特徴とする請求項１記載の冷蔵倉庫。
【請求項３】
前記複数の建物躯体は、
前記床分割体が組み付けられる床用鉄骨製梁と、
前記床用鉄骨製梁の長手方向の一端から突設され前記正面壁分割体が組み付けられる正面壁用鉄骨製柱と、
前記床用鉄骨製梁の長手方向の他端から突設され前記背面壁分割体が組み付けられる背面壁用鉄骨製柱と、
前記正面壁用鉄骨製柱と前記背面壁用鉄骨製柱とにかけわたされ前記屋根分割体が組み付けられる屋根用梁と、
をさらに備えることを特徴とする請求項２記載の冷蔵倉庫。
【請求項４】
前記複数の建物躯体の前記各正面壁分割体は、シャッターにより開閉され荷物の搬出入を行なうための開口部を有している、
ことを特徴とする請求項２または３記載の冷蔵倉庫。
【請求項５】
前記各正面壁分割体の前記冷蔵室側に、断熱性のオーバーヘッドドアが前記開口部を開閉可能に設けられている、
ことを特徴とする請求項４項記載の冷蔵倉庫。
【請求項６】
前記冷蔵設備は、複数の建物躯体に対応した数の複数の冷凍機と、各冷凍機にそれぞれ接続され建物躯体の内部に配置された空気冷却器とを備え、
前記冷凍機は、前記各建物躯体の前記背面壁分割体の外側に配置され、前記空気冷却器は、前記各建物躯体の前記天井分割体に設けられている、
ことを特徴とする請求項２〜５の何れか１項記載の冷蔵倉庫。
【請求項７】
前記複数の建物躯体は、同一の高さ、同一の間口、同一の奥行を有している、
ことを特徴とする請求項１〜６の何れか１項記載の冷蔵倉庫。
【請求項８】
前記冷蔵倉庫は、前記照明器具、前記冷蔵設備に電力を供給する発電機を備えている、
ことを特徴とする請求項１〜７の何れか１項記載の冷蔵倉庫。
【請求項９】
前記複数の建物躯体の内部に単一の前記冷蔵室が形成されている、
ことを特徴とする請求項１〜８の何れか１項記載の冷蔵倉庫。
【発明の詳細な説明】
【技術分野】
【０００１】
本発明は冷蔵倉庫に関する。
【背景技術】
【０００２】
従来、食料品などを冷凍、冷蔵する冷蔵倉庫は、要求される容積の仕様に基いてその都度、設計、施工されているため、設計、施工に際して多大な時間とコストが必要となっている。
【先行技術文献】
【特許文献】
【０００３】
【特許文献１】特開２０１３−２１０１４１号公報
【発明の概要】
【発明が解決しようとする課題】
【０００４】
しかしながら、近年、物流事情の変化に伴い、要求される容積の仕様に対応した冷蔵倉庫を短期間に、低コストで設置することが求められている。
本発明はこのような事情に鑑みなされたものであり、その目的は、要求される容積の仕様に対応し、短期間に低コストで設置する上で有利な冷蔵倉庫を提供することにある。
【課題を解決するための手段】
【０００５】
上述の目的を達成するため、請求項１記載の発明は、床、正面壁、背面壁、天井、左側壁、右側壁で区画され屋根で覆われ照明器具が設けられた冷蔵室と、前記冷蔵室を冷却する冷蔵設備とを有する冷蔵倉庫であって、前記冷蔵倉庫は、前記左側壁と前記右側壁とが対向する方向において３つ以上に分割されそれぞれが前記照明器具、前記冷凍設備を備える複数の建物躯体が組み付けられて構成されていることを特徴とする。
請求項２記載の発明は、前記複数の建物躯体は、左端建物躯体と、１つまたは複数の中間建物躯体と、右端建物躯体であり、それら左端建物躯体、中間建物躯体、右端建物躯体は、それぞれ前記床、前記正面壁、前記背面壁、前記天井、前記屋根を構成するための床分割体、正面壁分割体、背面壁分割体、天井分割体、屋根分割体を備え、前記左端建物躯体はさらに前記左側壁を備え、前記右端建物躯体はさらに前記右側壁を備えていることを特徴とする。
請求項３記載の発明は、前記複数の建物躯体は、前記床分割体が組み付けられる床用鉄骨製梁と、前記床用鉄骨製梁の長手方向の一端から突設され前記正面壁分割体が組み付けられる正面壁用鉄骨製柱と、前記床用鉄骨製梁の長手方向の他端から突設され前記背面壁分割体が組み付けられる背面壁用鉄骨製柱と、前記正面壁用鉄骨製柱と前記背面壁用鉄骨製柱とにかけわたされ前記屋根分割体が組み付けられる屋根用梁とをさらに備えることを特徴とする。
請求項４記載の発明は、前記複数の建物躯体の前記各正面壁分割体は、シャッターにより開閉され荷物の搬出入を行なうための開口部を有していることを特徴とする。
請求項５記載の発明は、前記各正面壁分割体の前記冷蔵室側に、断熱性のオーバーヘッドドアが前記開口部を開閉可能に設けられていることを特徴とする。
請求項６記載の発明は、前記冷蔵設備は、複数の建物躯体に対応した数の複数の冷凍機と、各冷凍機にそれぞれ接続され建物躯体の内部に配置された空気冷却器とを備え、前記冷凍機は、前記各建物躯体の前記背面壁分割体の外側に配置され、前記空気冷却器は、前記各建物躯体の前記天井分割体に設けられていることを特徴とする。
請求項７記載の発明は、前記複数の建物躯体は、同一の高さ、同一の間口、同一の奥行を有していることを特徴とする。
請求項８記載の発明は、前記冷蔵倉庫は、前記照明器具、前記冷蔵設備に電力を供給する発電機を備えていることを特徴とする。
請求項９記載の発明は、前記複数の建物躯体の内部に単一の前記冷蔵室が形成されていることを特徴とする。
【発明の効果】
【０００６】
請求項１記載の発明によれば、冷蔵倉庫は、左側壁と右側壁とが対向する方向において３つ以上に分割されそれぞれが冷蔵設備を備える複数の建物躯体が組み付けられて構成されている。
したがって、冷蔵倉庫を構成する建物躯体の数を増減させることにより、要求される容積の仕様に対応した冷蔵倉庫を、短期間に低コストで設置する上で有利となる。
請求項２記載の発明によれば、左端建物躯体と、１つまたは複数の中間建物躯体と、右端建物躯体とを組み合わせることにより、要求される容積の仕様に対応した冷蔵倉庫を、短期間に低コストで設置する上でより有利となる。
請求項３記載の発明によれば、各建物躯体は強度、剛性を備えるため、運搬や設置の際の取り扱い性に優れ、したがって、簡単に設置しやすく、工期の短縮化、コストダウンを図る上で有利となる。
請求項４記載の発明によれば、建物躯体毎に荷物の搬出入口が設けられるため、建物躯体の数が少ない小規模な冷蔵倉庫である場合や、あるいは、建物躯体の数が多い大規模な冷蔵倉庫である場合であっても、冷蔵倉庫内の荷物の搬出入を効率よく行なう上で有利となる。
請求項５記載の発明によれば、開口部を簡単に開閉でき、冷蔵倉庫とトラックとの間で食料品などの荷物の出し入れの効率化を図る上で有利となる。
請求項６記載の発明によれば、冷蔵倉庫の容積に対応した冷却能力の冷凍機および空気冷却器を選択して設置する必要がなく、冷蔵倉庫の容積に比例した冷却能力を得ることができるため、要求される容積の仕様に対応した冷蔵倉庫を、短期間に低コストで設置する上で有利となる。
請求項７記載の発明によれば、複数の建物躯体は、同一の高さ、同一の幅、同一の奥行を有しているので、各建物躯体を簡単に製造でき、また、簡単に設置しやすく、工期の短縮化、コストダウンを図る上で有利となる。
請求項８記載の発明によれば、照明器具、冷蔵設備に電力を供給する発電機を備えているので、電力事情が良好でなく、停電が発生しやすい環境下においても、冷蔵倉庫の機能を維持させることができ、冷蔵倉庫の商品価値を高める上で有利となる。
請求項９記載の発明によれば、要求される仕様に対応した大きな容積の冷蔵室を備える冷蔵倉庫を、短期間に低コストで設置する上でより有利となる。
【図面の簡単な説明】
【０００７】
【図１】実施の形態に係る冷蔵倉庫の構成を示す平面図である。
【図２】実施の形態に係る冷蔵倉庫の構成を示す断面図である。
【図３】複数の建物躯体の平面図である。
【図４】複数の建物躯体の斜視図である。
【発明を実施するための形態】
【０００８】
図１、図２に示すように、冷蔵倉庫１０は、床１２、正面壁１４、背面壁１６、天井１８、左側壁２０、右側壁２２で区画され屋根２４で覆われ照明器具２６が設けられた冷蔵室２８と、冷蔵室２８を冷却する冷蔵設備３０と、発電機３２とを備えている。図中、符号３３は管理室を示す。
図３に示すように、冷蔵倉庫１０は、左側壁２０と右側壁２２とが対向する方向において３つ以上に分割されそれぞれが冷蔵設備３０を備える複数の建物躯体３４が組み付けられて構成されている。
複数の建物躯体３４は、左端建物躯体３４Ａと、１つまたは複数の中間建物躯体３４Ｂと、右端建物躯体３４Ｃである。
左端建物躯体３４Ａと、１つまたは複数の中間建物躯体３４Ｂと、右端建物躯体３４Ｃは、同一の高さ、同一の間口、同一の奥行を有している。本実施の形態では、高さは３．５ｍであり、間口は７．５ｍであり、奥行は２５ｍである。高さ、間口、奥行を建物躯体３４毎に別々の寸法で形成してもよいが、このように各建物躯体３４を同一の高さ、同一の間口、同一の奥行で形成すると、各建物躯体３４を簡単に製造でき、また、簡単に設置しやすく、工期の短縮化、コストダウンを図る上で有利となる。
本実施の形態では、中間建物躯体３４Ｂは、２つ設けられている。
【０００９】
図２、図３、図４に示すように、それら左端建物躯体３４Ａ、中間建物躯体３４Ｂ、右端建物躯体３４Ｃは、それぞれ床１２、正面壁１４、背面壁１６、床１２、天井１８、屋根２４を構成するための床分割体１２０２、正面壁分割体１４０２、背面壁分割体１６０２、天井分割体１８０２、屋根分割体２４０２を備えている。
また、図２、図３に示すように、左端建物躯体３４Ａ、中間建物躯体３４Ｂ、右端建物躯体３４Ｃは、それぞれ床用鉄骨製梁３６と、正面壁用鉄骨製柱３８と、背面壁用鉄骨製柱４０と、屋根用梁４２とを備えている。
左端建物躯体３４Ａはさらに左側壁２０を備え、右端建物躯体３４Ｃはさらに右側壁２２を備えている。
【００１０】
図２に示すように、各建物躯体３４において、床用鉄骨製梁３６は、床分割体１２０２の間口方向の両端で奥行方向の全長にわたって延在する２つのＨ形鋼３６０２と、それらＨ形鋼３６０２の奥行方向に間隔をおいた複数箇所を連結する複数のＨ形鋼３６０４とを備えている。
床用鉄骨製梁３６の複数箇所は、マットスラブ４４の上で高さ調整可能な支持部４６を介して支持されている。このような支持部４６として従来公知の様々な構造が採用可能である。
【００１１】
床分割体１２０２は、断熱性、防水性を有する材料で構成され、床用鉄骨製梁３６の上に組み付けられている。
本実施の形態では、床分割体１２０２は、コンクリート、防湿防水シート、断熱材、防湿フィルム、シンダーコンクリートがこの順番で下から上に積層されて構成されており、本実施の形態では、断熱材としてポリスチレンフォームが使用されている。なお、床分割体１２０２は、断熱性、防水性を有する材料で構成されていればよく、従来公知の様々な構造が使用可能である。
なお、床分割体１２０２には、不図示の点検口が設けられ、点検口から床下内に出入りできるように図られている。
【００１２】
図３に示すように、複数の建物躯体３４の各正面壁分割体１４０２、各背面壁分割体１６０２、左側壁２０、右側壁２２は、建物躯体３４の内側に位置する内壁４８と、内壁４８の外面を覆い建物躯体３４の外側に配置される外壁５０との２重構造で構成されている。
図２、図４に示すように、それら各正面壁分割体１４０２、各背面壁分割体１６０２、左側壁２０、右側壁２２は、床分割体１２０２の下方に延在し、各正面壁分割体１４０２、各背面壁分割体１６０２、左側壁２０、右側壁２２、床分割体１２０２の下端は、マットスラブ４４の上方でかつ地表面Ｇよりも下方に位置している。
本実施の形態では、内壁４８は断熱パネルで構成されているが、内壁４８として断熱性を有する従来公知の様々な材料が使用可能である。
また、外壁５０は角波鋼板で構成されているが、外壁５０として合成樹脂材料など従来公知の様々な材料が使用可能である。
【００１３】
各建物躯体３４において、正面壁用鉄骨製柱３８は、床用鉄骨製梁３６の長手方向の一端から上方に突設され、この正面壁用鉄骨製柱３８に正面壁分割体１４０２が組み付けられる。
本実施の形態では、正面壁用鉄骨製柱３８は、２つのＨ形鋼３６０２の一端からそれぞれ突設され、各正面壁用鉄骨製柱３８は正面壁分割体１４０２の間口方向の両端に位置している。
図３、図４に示すように、各正面壁分割体１４０２は、シャッター５２により開閉され荷物の搬出入を行なうための開口部５４を有し、開口部５４は、図１に示すように、トラック５６の荷台５６０２との間に生じる隙間を埋めるドックシェルター５８で縁取られている。
また、図２において、符号６０は、正面壁分割体１４０２の開口部５４の上方箇所から突設され開口部５４の手前側の空間の上方に位置する上部庇を示す。
【００１４】
図２、図３に示すように、複数の建物躯体３４の正面壁分割体１４０２の内壁４８の上部に断熱性を有するオーバーヘッドドア６２が設けられ、オーバーヘッドドア６２により開口部５４が開閉される。
オーバーヘッドドア６２は、ヒンジを介して連結された複数のドアパネル体をガイドレールに沿って移動させることで開口部５４を開閉するものであり、ガイドレールは、ドアパネル体の左右両側に上下に延在する一対の上下ガイドレール部と、一対の上下ガイドレール部の上端に接続され後方に延在する一対の前後ガイドレール部とを備えている。
【００１５】
図２、図３に示すように、各背面壁分割体１６０２は、奥行方向において各正面壁分割体１４０２と反対側の箇所に設けられている。
各建物躯体３４において、背面壁用鉄骨製柱４０は、床用鉄骨製梁３６の長手方向の他端から上方に突設され、この背面壁用鉄骨製柱４０に背面壁分割体１６０２が組み付けられる。
本実施の形態では、背面壁用鉄骨製柱４０は、２つのＨ形鋼３６０２の他端からそれぞれ突設され、背面壁用鉄骨製柱４０は背面壁分割体１６０２の間口方向の両端に位置している
また、背面壁用鉄骨製柱４０の高さは、正面壁用鉄骨製柱３８の高さよりも小さい寸法で形成されている。
【００１６】
天井分割体１８０２は、断熱パネルで構成されている。
断熱パネルとして、断熱性を有する従来公知の様々な材料が使用可能である。
天井分割体１８０２は、左端建物躯体３４Ａでは、正面壁分割体１４０２、左側壁２０、背面壁分割体１６０２の内壁４８の上端を接続して設けられ、中間建物躯体３４Ｂでは、正面壁分割体１４０２、背面壁分割体１６０２の内壁４８の上端を接続して設けられ、右端建物躯体３４Ｃでは、正面壁分割体１４０２、右側壁２２、背面壁分割体１６０２の内壁４８の上端を接続して設けられている。
【００１７】
各建物躯体３４において、屋根用梁４２は２つ設けられ、間口方向の両側において正面壁用鉄骨製柱３８の上端と背面壁用鉄骨製柱４０の上端とにわたってそれぞれ掛け渡されており、２つの屋根用梁４２に屋根分割体２４０２が組み付けられる。
屋根分割体２４０２は、金属板が折り曲げ加工された折版で構成されている。なお、屋根分割体２４０２として上記の材料の他、合成樹脂材料など従来公知の様々な材料が使用可能である。
本実施の形態では、背面壁用鉄骨製柱４０の高さは、正面壁用鉄骨製柱３８の高さよりも小さい寸法で形成されているので、屋根分割体２４０２は、背面壁分割体１６０２から正面壁分割体１４０２に至るほど上方に変位する傾斜を有して設けられ、雨水などが背面壁１６側に流れるように図られている。
【００１８】
図２、図３に示すように、冷蔵設備３０は、複数の建物躯体３４に対応した数の複数の冷凍機３００２と、各冷凍機３００２にそれぞれ接続され建物躯体３４の内部に配置された空気冷却器３００４と、冷凍機３００２と空気冷却器３００４とを接続し冷凍機３００２と空気冷却器３００４との間で冷媒を循環させる冷媒循環路３００６とを備えている。
冷凍機３００２で冷却された冷媒が冷媒循環路３００６を介して空気冷却器３００４に供給されることで冷媒と建物躯体３４の内部の空気との間で熱交換がなされ建物躯体３４の内部が冷却される。
冷凍機３００２は、各建物躯体３４の背面壁分割体１６０２の外側に配置され、空気冷却器３００４は、各建物躯体３４の天井分割体１８０２に設けられ、冷媒循環路３００６は、各建物躯体３４の天井分割体１８０２の上面に沿って配設されている。
また、照明器具２６は、各建物躯体３４の天井分割体１８０２に設けられている。
図１に示すように、発電機３２は冷蔵倉庫１０の外部に設けられ、停電時に各建物躯体３４の冷凍機３００２および照明器具２６に電力を供給する。
【００１９】
次に、冷蔵倉庫１０の設置作業について説明する。
予め、冷蔵倉庫１０が設置される地盤には、マットスラブ４４が構築され、マットスラブ４４上には各建物躯体３４の床用鉄骨製梁３６の位置に対応して複数の支持部４６が設置されている。
また、各建物躯体３４は予め工場で完成されており、各建物躯体３４が設置現場にトレーラーなどによって運搬される。
クレーンによって建物躯体３４、例えば、左端建物躯体３４Ａがトレーラから釣り上げられ、左端建物躯体３４Ａに対応する支持部４６の上に設置される。
次に、１つ目の中間建物躯体３４Ｂがトレーラから釣り上げられ、左端建物躯体３４Ａに隣接する箇所の支持部４６の上に設置される。
次に、２つ目の中間建物躯体３４Ｂがトレーラから釣り上げられ、１つ目の中間建物躯体３４Ｂに隣接する箇所の支持部４６の上に設置される。
次に、右端建物躯体３４Ｃがトレーラから釣り上げられ、２つ目の中間建物躯体３４Ｂに隣接する箇所の支持部４６の上に設置される。
【００２０】
このようにして左端建物躯体３４Ａと、２つの中間建物躯体３４Ｂと、右端建物躯体３４Ｃは、奥行方向を一致させ間口方向に並べられて設置される。
そして、隣り合う建物躯体３４の床分割体１２０２の上面の位置が一致するように、各支持部４６により床用鉄骨製梁３６の高さ調整が行われる。
また、断熱材およびシール材を用いて隣接する建物躯体３４同士を結合する。詳細には、床分割体１２０２同士、正面壁分割体１４０２同士、背面壁分割体１６０２同士、天井分割体１８０２同士、屋根分割体２４０２同士が結合される。
【００２１】
詳細に説明すると、隣り合う建物躯体３４の床分割体１２０２相互、天井分割体１８０２相互の結合は、例えば、床分割体１２０２同士の結合箇所、天井分割体１８０２同士の結合箇所に、ウレタンなどの断熱材を充填するなど従来公知の様々な構造が採用可能である。
また、隣り合う建物躯体３４の屋根分割体２４０２相互の結合は、例えば、屋根分割体２４０２同士の結合箇所に、シール材を充填するなど従来公知の様々な構造が採用可能である。
また、隣り合う建物躯体３４の正面壁分割体１４０２相互および背面壁分割体１６０２相互の結合は、内壁４８相互が結合されると共に、外壁５０相互が結合されることでなされる。
すなわち、内壁４８相互の結合は、内壁４８同士の結合箇所に、例えば、ウレタンなどの断熱材を充填するなど従来公知の様々な構造が採用可能である。
また、外壁５０相互の結合は、外壁５０同士の結合箇所に、シール材を充填するなど従来公知の様々な構造が採用可能である。
【００２２】
このようにして、複数の建物躯体３４の正面壁分割体１４０２、背面壁分割体１６０２、床分割体１２０２、天井分割体１８０２、屋根分割体２４０２が接続されることで冷蔵倉庫１０の床１２、正面壁１４、背面壁１６、床１２、天井１８、屋根２４が構成される。
また、左端建物躯体３４Ａの左側壁２０により冷蔵倉庫１０の左側壁２０が構成され、右端建物躯体３４Ｃの右側壁２２により冷蔵倉庫１０の右側壁２２が構成される。
また、床１２、正面壁１４、背面壁１６、左側壁２０、右側壁２２、天井１８により、複数の建物躯体３４の内部に単一の冷蔵室２８が形成される。
また、各建物躯体３４の冷凍機３００２、照明器具２６に電力を供給する発電機３２が冷蔵倉庫１０の外部に設置される。
これにより、冷蔵倉庫１０の内部が冷蔵設備３０で冷却され、左端建物躯体３４Ａと、２つの中間建物躯体３４Ｂと、右端建物躯体３４Ｃとからなる冷蔵倉庫１０が完成する。
【００２３】
本実施の形態によれば、冷蔵倉庫１０は、左側壁２０と右側壁２２とが対向する方向において３つ以上に分割されそれぞれが冷蔵設備３０を備える複数の建物躯体３４が組み付けられて構成されている。
したがって、冷蔵倉庫１０を構成する建物躯体３４の数を増減させることにより、要求される容積の仕様に対応した冷蔵倉庫１０を、短期間に低コストで設置する上で有利となる。
【００２４】
また、本実施の形態では、左端建物躯体３４Ａと、１つまたは複数の中間建物躯体３４Ｂと、右端建物躯体３４Ｃとを組み合わせることにより、要求される容積の仕様に対応した冷蔵倉庫１０を、短期間に低コストで設置する上でより有利となる。
【００２５】
また、本実施の形態では、複数の建物躯体３４は、床分割体１２０２が組み付けられる床用鉄骨製梁３６と、床用鉄骨製梁３６の長手方向の一端から突設され正面壁分割体１４０２が組み付けられる正面壁用鉄骨製柱３８と、床用鉄骨製梁３６の長手方向の他端から突設され背面壁分割体１６０２が組み付けられる背面壁用鉄骨製柱４０と、正面壁用鉄骨製柱３８と背面壁用鉄骨製柱４０とに掛け渡され屋根分割体２４０２が組み付けられる屋根用梁４２とを備えている。
したがって、各建物躯体３４は強度、剛性を備えるため、運搬や設置の際の取り扱い性に優れ、したがって、簡単に設置しやすく、工期の短縮化、コストダウンを図る上で有利となる。
【００２６】
また、本実施の形態では、複数の建物躯体３４の各正面壁分割体１４０２は、ドックシェルター５８で縁取られた開口部５４を有している。
したがって、建物躯体３４毎に荷物の搬出入口が設けられるため、建物躯体３４の数が少ない小規模な冷蔵倉庫１０である場合や、あるいは、建物躯体３４の数が多い大規模な冷蔵倉庫１０である場合であっても、冷蔵倉庫１０内の荷物の搬出入を効率よく行なう上で有利となる。
また、開口部５４とトラック５６の荷台５６０２との間に生じる隙間から冷蔵室２８の冷気が漏れることを抑制でき、冷蔵倉庫１０内の温度上昇を防止する上で有利となる。
【００２７】
また、本実施の形態では、各正面壁分割体１４０２の冷蔵室２８側に、断熱性のオーバーヘッドドア６２が開口部５４を開閉可能に設けられている。
したがって、開口部５４を簡単に開閉でき、冷蔵倉庫１０とトラック５６との間で食料品などの荷物の出し入れの効率化を図る上で有利となる。
【００２８】
また、本実施の形態では、冷蔵設備３０は、複数の建物躯体３４に対応した数の複数の冷凍機３００２と、各室外機にそれぞれ接続され建物躯体３４の内部に配置された空気冷却器３００４とを備え、冷凍機３００２は、各建物躯体３４の背面壁分割体１６０２の外側に配置され、空気冷却器３００４は、各建物躯体３４の天井分割体１８０２の下面に設けられている。
したがって、建物躯体３４の数、すなわち、冷蔵倉庫１０の容積に対応した冷却能力の冷凍機３００２および空気冷却器３００４を選択して設置する必要がなく、冷蔵倉庫１０の容積に比例した冷却能力を得ることができるため、要求される容積の仕様に対応した冷蔵倉庫１０を、短期間に低コストで設置する上で有利となる。
【００２９】
また、本実施の形態では、複数の建物躯体３４は、同一の高さ、同一の幅、同一の奥行を有しているので、各建物躯体３４を簡単に製造でき、また、簡単に設置しやすく、工期の短縮化、コストダウンを図る上で有利となる。
【００３０】
また、本実施の形態では、冷蔵倉庫１０は、照明器具２６、冷蔵設備３０に電力を供給する発電機３２を備えている。したがって、電力事情が良好でなく、停電が発生しやすい環境下においても、冷蔵倉庫１０の機能を維持させることができ、冷蔵倉庫１０の商品価値を高める上で有利となる。
【００３１】
また、本実施の形態では、複数の建物躯体３４の内部に単一の冷蔵室２８が形成されるので、要求される仕様に対応した大きな容積の冷蔵室２８を備える冷蔵倉庫１０を、短期間に低コストで設置する上でより有利となる。
【００３２】
なお、本実施の形態では、複数の建物躯体３４の内部に単一の冷蔵室２８を形成する場合について説明したが、隣り合う建物躯体３４の間に断熱パネルを介在させ、複数の冷蔵室を形成するなど任意である。この場合、断熱パネルは、工場において建物躯体３４に予め組み付けておいてもよく、建物躯体３４の設置時に隣り合う建物躯体３４の間に介在させるようにしてもよい。
また、本発明の冷蔵倉庫は、冷凍庫、冷蔵庫などを広く含む。
【符号の説明】
【００３３】
１０  冷蔵倉庫
１２  床
１２０２  床分割体
１４  正面壁
１４０２  正面壁分割体
１６  背面壁
１６０４  背面壁分割体
１８  天井
１８０２  天井分割体
２０  左側壁
２２  右側壁
２４  屋根
２４０２  屋根分割体
２６  照明器具
２８  冷蔵室
３０  冷蔵設備
３２  発電機
３４  建物躯体
３４Ａ  左端建物躯体
３４Ｂ  中間建物躯体
３４Ｃ  右端建物躯体
３６  床用鉄骨製梁
３８  正面壁用鉄骨製梁
４０  背面壁用鉄骨製柱
４２  屋根用梁
４４  マットスラブ
４６  支持部
５２  シャッター
５４  開口部
５６  トラック
５６０２  荷台
５８  ドックシェルター
６２  オーバーヘッドドア
【図１】
2018040553.tif 000003
【図２】
2018040553.tif 000004
【図３】
2018040553.tif 000005
【図４】
2018040553.tif 000006